【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
薬物担体混合物であって、薬物の治療有効量とリン酸カルシウムセメントとを含む薬物担体混合物と、
コラーゲンスポンジ又は骨基質であって、少なくとも部分的に脱ミネラル化されている骨基質と、
を含む骨組成物。
【請求項２】
前記リン酸カルシウムセメントが、α−リン酸三カルシウム、β−リン酸三カルシウム、ヒドロキシアパタイト、リン酸二カルシウム、又はリン酸四カルシウムの１つ以上を硬化させることにより生成される、請求項１に記載の骨組成物。
【請求項３】
前記リン酸カルシウムセメントが非セラミックである、請求項１または２に記載の骨組成物。
【請求項４】
前記骨組成物が骨基質を含み、前記骨基質が完全に脱ミネラル化されている、請求項１〜３のいずれか一項に記載の骨組成物。
【請求項５】
前記骨組成物が骨基質を含み、前記骨基質が部分的に脱ミネラル化されている、請求項１〜３のいずれか一項に記載の骨組成物。
【請求項６】
前記骨基質が粉砕されている形態である、請求項４に記載の骨組成物。
【請求項７】
前記骨基質がインタクトな形態である、請求項１〜５のいずれか一項に記載の骨組成物。
【請求項８】
チップの形態である、請求項７に記載の骨組成物。
【請求項９】
ストリップの形態である、請求項７に記載の骨組成物。
【請求項１０】
前記薬物が１つ以上の骨修復薬を含む、請求項１〜９のいずれか一項に記載の骨組成物。
【請求項１１】
前記１つ以上の骨修復薬が、プロスタグランジンＥ１、プロスタグランジンＥ２；ＥＰ２アゴニスト；ＥＰ２／ＥＰ４デュアルアゴニスト；ＥＰ４アゴニスト；有機ビスホスホネート；カテプシンＫ阻害薬；エストロゲン又はエストロゲン受容体モジュレーター；カルシトニン；破骨細胞プロトンＡＴＰアーゼ阻害薬；ＨＭＧ−ＣｏＡ還元酵素阻害薬；αｖβ３インテグリン受容体アンタゴニスト；骨形態形成タンパク質；ＲＡＮＫＬ阻害薬；副甲状腺ホルモン；ビタミンＤ又は合成ビタミンＤ類似体；アンドロゲン又はアンドロゲン受容体モジュレーター；Ｗｎｔ／β−カテニンシグナル伝達アクチベータ；ボルテゾミブ；ラネル酸ストロンチウム；血小板由来成長因子；並びにこれらの薬学的に許容可能な塩及び混合物から選択される１つ以上の薬物である、請求項１０に記載の骨組成物。
【請求項１２】
前記１つ以上の骨修復薬が骨芽細胞を活性化させる、請求項１０に記載の骨組成物。
【請求項１３】
前記１つ以上の骨修復薬が破骨細胞を阻害する、請求項１０に記載の骨組成物。
【請求項１４】
前記１つ以上の骨修復薬が、骨芽細胞を活性化させる少なくとも１つの薬物と、破骨細胞を阻害する少なくとも１つの薬物とを含む、請求項１０に記載の骨組成物。
【請求項１５】
前記１つ以上の骨修復薬が骨芽細胞を活性化させ、及び破骨細胞を阻害する、請求項１０に記載の骨組成物。
【請求項１６】
必要とする患者において骨を修復し又は骨密度を増加させるための医薬において、
請求項１〜１５のいずれか一項に記載の骨組成物から誘導される骨修復薬を含み、前記医薬が、前記患者における骨欠損に局所送達される、医薬。
【請求項１７】
硬化非セラミックリン酸カルシウムセメント中に治療有効量の薬物を含む固形インサートであって、前記薬物が前記硬化非セラミックリン酸カルシウムセメント全体にわたり実質的に均一に包埋されている、固形インサート
を含む骨組成物。
【請求項１８】
硬化前の前記リン酸カルシウムセメントが、α−リン酸三カルシウム、β−リン酸三カルシウム、ヒドロキシアパタイト、リン酸二カルシウム、又はリン酸四カルシウムの１つ以上を含む、請求項１７に記載の骨組成物。
【請求項１９】
前記薬物が１つ以上の骨修復薬を含む、請求項１７または１８に記載の骨組成物。
【請求項２０】
必要とする患者において骨を修復し又は骨密度を増加させるための医薬において、
請求項１７〜１９のいずれか一項に記載の骨組成物から誘導される骨修復薬を含み、前記骨修復薬が、前記患者の骨に局所送達される、医薬。
【手続補正２】
【補正対象書類名】明細書
【補正対象項目名】０７５０
【補正方法】変更
【補正の内容】
【０７５０】
２０週間の治療後の両群の骨密度の平均変化を図６に示す。
本発明の態様
態様１
薬物担体混合物であって、薬物の治療有効量とリン酸カルシウムセメントとを含む薬物担体混合物と、
コラーゲンスポンジ又は骨基質であって、少なくとも部分的に脱ミネラル化されている骨基質と、
を含む骨組成物。
態様２
前記リン酸カルシウムセメントが、α−リン酸三カルシウム、β−リン酸三カルシウム、ヒドロキシアパタイト、リン酸二カルシウム、又はリン酸四カルシウムの１つ以上を硬化させることにより生成される、態様１に記載の骨組成物。
態様３
前記リン酸カルシウムセメントが、α−リン酸三カルシウムとβ−リン酸三カルシウムとを約１対３の比で硬化させることにより生成される、態様２に記載の骨組成物。
態様４
前記リン酸カルシウムセメントが、α−リン酸三カルシウムとβ−リン酸三カルシウムとを約１対１の比で硬化させることにより生成される、態様２に記載の骨組成物。
態様５
前記リン酸カルシウムセメントが、α−リン酸三カルシウムとβ−リン酸三カルシウムとを約１対０の比で硬化させることにより生成される、態様２に記載の骨組成物。
態様６
前記リン酸カルシウムセメントが非セラミックである、態様１〜５のいずれか一項に記載の骨組成物。
態様７
前記骨基質が完全に脱ミネラル化されている、態様１〜６のいずれか一項に記載の骨組成物。
態様８
前記骨基質が部分的に脱ミネラル化されている、態様１〜６のいずれか一項に記載の骨組成物。
態様９
前記骨基質が粉砕されている形態である、態様７に記載の骨組成物。
態様１０
前記薬物担体混合物及び骨基質が約１：２０ｗｔ（ｍｇ）／ｖｏｌ（μＬ）〜約１：４ｗｔ（ｍｇ）／ｖｏｌ（μＬ）の比である、態様９に記載の骨組成物。
態様１１
前記薬物担体混合物及び骨基質が約１：８ｗｔ（ｍｇ）／ｖｏｌ（μＬ）の比である、態様１０に記載の骨組成物。
態様１２
前記骨基質がインタクトな形態である、態様１〜８のいずれか一項に記載の骨組成物。
態様１３
チップの形態である、態様１２に記載の骨組成物。
態様１４
ストリップの形態である、態様１２に記載の骨組成物。
態様１５
前記薬物が１つ以上の骨修復薬を含む、態様１〜１４のいずれか一項に記載の骨組成物。
態様１６
前記１つ以上の骨修復薬が、プロスタグランジンＥ１、プロスタグランジンＥ２；ＥＰ２アゴニスト；ＥＰ２／ＥＰ４デュアルアゴニスト；ＥＰ４アゴニスト；有機ビスホスホネート；カテプシンＫ阻害薬；エストロゲン又はエストロゲン受容体モジュレーター；カルシトニン；破骨細胞プロトンＡＴＰアーゼ阻害薬；ＨＭＧ−ＣｏＡ還元酵素阻害薬；αｖβ３インテグリン受容体アンタゴニスト；骨形態形成タンパク質；ＲＡＮＫＬ阻害薬；副甲状腺ホルモン；ビタミンＤ又は合成ビタミンＤ類似体；アンドロゲン又はアンドロゲン受容体モジュレーター；Ｗｎｔ／β−カテニンシグナル伝達アクチベータ；ボルテゾミブ；ラネル酸ストロンチウム；血小板由来成長因子；並びにこれらの薬学的に許容可能な塩及び混合物から選択される１つ以上の薬物である、態様１５に記載の骨組成物。
態様１７
前記１つ以上の骨修復薬がＥＰ４アゴニストである、態様１５に記載の骨組成物。
態様１８
前記１つ以上の骨修復薬が式（Ｉ）の化合物
【数１】
2016527006.tif 000001
又はその薬学的に許容可能な塩を含み、式中、
Ｘは両方ともに水素又はフルオロのいずれかであり；
Ｌ１は
ａ）Ｃ３〜Ｃ７アルキレン、Ｃ３〜Ｃ７アルケニレン、又はＣ３〜Ｃ７アルキニレン（ここでＣ３〜Ｃ７アルキレン、Ｃ３〜Ｃ７アルケニレン、又はＣ３〜Ｃ７アルキニレンは、各々場合により、１、２、３、又は４個のフルオロ置換基で置換されている）；
ｂ）−（ＣＨ２）ｔ−Ｇ−（ＣＨ２）ｐ−（式中、ｔは０、１、又は２であり、ｐは０、１、２、又は３であり、及びｔ＋ｐ＝０、１、２、３、又は４である）；又は
ｃ）−（ＣＨ２）ｎ−Ｇ１−（ＣＨ２）ｐ−、−（ＣＨ２）ｎ−Ｇ２−（ＣＨ２）ｐ−、−（ＣＨ２）ｎ−Ｃ≡Ｃ−Ｇ２−、又は−（ＣＨ２）ｎ−Ｃ（Ｒ１３）＝Ｃ（Ｒ１３）−Ｇ２−（式中、ｎは１、２、３、４、又は５であり、ｐは０、１、２、又は３であり、及びｎ＋ｐ＝１、２、３、４、５、又は６である）であり；
Ｇは、
【数２】
2016527006.tif 000002
であり；
Ｇ１は、Ｏ、Ｃ（Ｏ）、Ｓ、Ｓ（Ｏ）、Ｓ（Ｏ）２、又はＮＲ８であり；式中、Ｒ８は、Ｈ、Ｃ１〜Ｃ４アルキル、又はＣ１〜Ｃ４アルキルカルボニルであり；
Ｇ２は、
【数３】
2016527006.tif 000003
であり；ここでＧ２は、場合により、Ｃ１〜Ｃ４アルキル、Ｃ１〜Ｃ３ハロアルキル、シアノ、ハロゲン、Ｃ１〜Ｃ３アルコキシ、及びＣ１〜Ｃ３ハロアルコキシからなる群から選択される１、２、又は３個の置換基で置換されており；
Ｒ１は、ＣＯＯＲ１０、ＣＯＮＲ１０Ｒ１１、ＣＨ２ＯＲ１０、ＳＯ３Ｒ１０、ＳＯ２ＮＲ１０Ｒ１１、ＰＯ（ＯＲ１０）２、又はテトラゾール−５−イルであり；
Ｒ１０は、Ｈ、Ｃ１〜Ｃ４アルキル、又はアリールであり；
Ｒ１１は、Ｈ、Ｃ１〜Ｃ４アルキル、ＣＯＲ１２、ＯＲ１０、又はＳＯ２Ｒ１２であり；
Ｒ１２は、Ｃ１〜Ｃ４アルキルであり；
Ｒ１３は、存在する毎に、独立してＨ又はＣ１〜Ｃ４アルキルであり；
Ｌ４は、−Ｃ（Ｒ２）２−Ｃ（Ｒ３）２−、−Ｃ（Ｒ２）＝Ｃ（Ｒ３）−、−Ｃ≡Ｃ−、又は
【数４】
2016527006.tif 000004
であり；式中、Ｒ２及びＲ３は、各々、Ｈ、ＣＨ３、フルオロ、又はクロロ（ｃｈｏｒｏ）であり；
Ｌ２は、−ＣＨ２−又は結合であり；
Ｒ４及びＲ５は、各々独立してＨ、Ｆ、ＣＦ３、又はＣ１〜Ｃ４アルキルであり；又はＲ４及びＲ５は、それらが結合する炭素と共に、Ｃ３〜Ｃ５シクロアルキル、
【数５】
2016527006.tif 000005
を形成し；
Ｒ６は、アリール、ヘテロアリール、Ｃ３〜Ｃ１０アルキル、Ｃ３〜Ｃ１０アルケニル、Ｃ３〜Ｃ１０アルキニル、Ｃ３〜Ｃ１０ハロアルキル、Ｃ３〜Ｃ１０ハロアルケニル、Ｃ３〜Ｃ１０ハロアルキニル、又はＬ３−Ｒ７であり；ここでアリール及びヘテロアリールは、場合により、Ｃ１〜Ｃ４アルキル、Ｃ１〜Ｃ３ハロアルキル、シアノ、ハロゲン、Ｃ１〜Ｃ３アルコキシ、Ｃ１〜Ｃ３ハロアルコキシ；及び−Ｃ１〜Ｃ３アルキレン−Ｃ１〜Ｃ３アルコキシからなる群から選択される１、２、３、又は４個の置換基で置換されており；及びここでＣ３〜Ｃ１０アルキル、Ｃ３〜Ｃ１０アルケニル、Ｃ３〜Ｃ１０アルキニル、Ｃ３〜Ｃ１０ハロアルキル、Ｃ３〜Ｃ１０ハロアルケニル、及びＣ３〜Ｃ１０ハロアルキニルは、場合により、ＣＯＯＲ１０’、ＣＯＮＲ１０’Ｒ１１’、ＣＨ２ＯＲ１０’、ＳＯ３Ｒ１０’、ＳＯ２ＮＲ１０’Ｒ１１’、ＰＯ（ＯＲ１０’）２、及びテトラゾール−５−イルからなる群から選択される置換基で置換されており；
Ｒ１０’は、Ｈ、Ｃ１〜Ｃ４アルキル、又はアリールであり；
Ｒ１１’は、Ｈ、Ｃ１〜Ｃ４アルキル、ＣＯＲ１２’、ＯＲ１０’、又はＳＯ２Ｒ１２’であり；
Ｒ１２’は、Ｃ１〜Ｃ４アルキルであり；
Ｌ３は、Ｃ１〜Ｃ６アルキレン、Ｃ２〜Ｃ６アルケニレン、Ｃ２〜Ｃ６アルキニレン、−（ＣＨ２）ｍ−Ｇ３−（ＣＨ２）ｑ−、−（ＣＨ２）ｍ−Ｇ４−（ＣＨ２）ｑ−、又は−Ｇ５−Ｃ≡Ｃ−であり；ここでＣ１〜Ｃ６アルキレン、Ｃ２〜Ｃ６アルケニレン、及びＣ２〜Ｃ６アルキニレンは、場合により、１、２、３、又は４個のフルオロ置換基で置換されており；及び式中、ｍ及びｑは、各々独立して、０、１、２、又は３であり、且つｍ＋ｑ＝０、１、２、３、又は４であり；
Ｇ３は、Ｏ、Ｃ（Ｏ）、Ｓ、Ｓ（Ｏ）、Ｓ（Ｏ）２、又はＮＲ９であり；式中、Ｒ９は、Ｈ、Ｃ１〜Ｃ４アルキル、又はＣ１〜Ｃ４アルキルカルボニルであり；
Ｇ４は、
【数６】
2016527006.tif 000006
であり；ここでＧ４は、場合により、Ｃ１〜Ｃ４アルキル、Ｃ１〜Ｃ３ハロアルキル、シアノ、ハロゲン、Ｃ１〜Ｃ３アルコキシ、及びＣ１〜Ｃ３ハロアルコキシからなる群から選択される１、２、又は３個の置換基で置換されており；
Ｇ５は、
【数７】
2016527006.tif 000007
であり、ここでＧ５は、場合により、Ｃ１〜Ｃ４アルキル、Ｃ１〜Ｃ３ハロアルキル、シアノ、ハロゲン、Ｃ１〜Ｃ３アルコキシ、及びＣ１〜Ｃ３ハロアルコキシからなる群から選択される１、２、又は３個の置換基で置換されており；
Ｒ７は、Ｃ３〜Ｃ８シクロアルキル、アリール、ヘテロアリール、又はヘテロシクリルであり；ここでＲ７は、場合により、Ｃ１〜Ｃ４アルキル、Ｃ１〜Ｃ３ハロアルキル、シアノ、ハロゲン、Ｃ１〜Ｃ３アルコキシ、Ｃ１〜Ｃ３ハロアルコキシ、及び−Ｃ１〜Ｃ３アルキレン−Ｃ１〜Ｃ３アルコキシからなる群から選択される１、２、３、又は４個の置換基で置換されており；
ｒは０又は１であり；及び
ｓは０又は１である、
態様１５に記載の骨組成物。
態様１９
前記１つ以上の骨修復薬が、ＣＰ−７３４４３２；ＯＮＯ−４８１９；ＡＥ１−３２９；Ｌ−９０２，６８８；
メチル７−（（Ｒ）−３，３−ジフルオロ−５−（（３Ｓ，４Ｓ，Ｅ）−３−ヒドロキシ−４−メチルオクタ−１−エン−６−イン−１−イル）−２−オキソピロリジン−１−イル）ヘプタノエート；
メチル７−（（Ｒ）−３，３−ジフルオロ−５−（（３Ｓ，４Ｒ，Ｅ）−３−ヒドロキシ−４−メチルオクタ−１−エン−６−イン−１−イル）−２−オキソピロリジン−１−イル）ヘプタノエート；
メチル７−（（５Ｒ）−３，３−ジフルオロ−５−（（３Ｒ，Ｅ）−３−ヒドロキシ−４−メチルオクタ−１−エン−６−イン−１−イル）−２−オキソピロリジン−１−イル）ヘプタノエート；
メチル７−（（Ｒ）−３，３−ジフルオロ−５−（（３Ｒ，４Ｓ，Ｅ）−３−ヒドロキシ−４−メチルオクタ−１−エン−６−イン−１−イル）−２−オキソピロリジン−１−イル）ヘプタノエート；
メチル７−（（Ｒ）−３，３−ジフルオロ−５−（（３Ｒ，４Ｒ，Ｅ）−３−ヒドロキシ−４−メチルオクタ−１−エン−６−イン−１−イル）−２−オキソピロリジン−１−イル）ヘプタノエート；
７−（（Ｒ）−３，３−ジフルオロ−５−（（３Ｓ，４Ｓ，Ｅ）−３−ヒドロキシ−４−メチルオクタ−１−エン−６−イン−１−イル）−２−オキソピロリジン−１−イル）ヘプタン酸；
７−（（Ｒ）−３，３−ジフルオロ−５−（（３Ｓ，４Ｒ，Ｅ）−３−ヒドロキシ−４−メチルオクタ−１−エン−６−イン−１−イル）−２−オキソピロリジン−１−イル）ヘプタン酸；
７−（（Ｒ）−３，３−ジフルオロ−５−（（３Ｒ，４Ｓ，Ｅ）−３−ヒドロキシ−４−メチルオクタ−１−エン−６−イン−１−イル）−２−オキソピロリジン−１−イル）ヘプタン酸；
７−（（Ｒ）−３，３−ジフルオロ−５−（（３Ｒ，４Ｒ，Ｅ）−３−ヒドロキシ−４−メチルオクタ−１−エン−６−イン−１−イル）−２−オキソピロリジン−１−イル）ヘプタン酸；
メチル７−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）ヘプタノエート；
メチル７−（（Ｒ）−３，３−ジフルオロ−５−（（３Ｒ，４Ｓ，Ｅ）−３−ヒドロキシ−４−メチルノナ−１−エン−６−イン−１−イル）−２−オキソピロリジン−１−イル）ヘプタノエート；
７−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）ヘプタン酸；
７−（（Ｒ）−３，３−ジフルオロ−５−（（３Ｒ，４Ｓ，Ｅ）−３−ヒドロキシ−４−メチルノナ−１−エン−６−イン−１−イル）−２−オキソピロリジン−１−イル）ヘプタン酸；
メチル７−（（５Ｒ）−３，３−ジフルオロ−５−（（Ｅ）−３−ヒドロキシ−４−メチルデカ−１−エン−６−イン−１−イル）−２−オキソピロリジン−１−イル）ヘプタノエート；
メチル７−（（５Ｒ）−３，３−ジフルオロ−５−（（Ｅ）−３−ヒドロキシ−４−メチル−７−フェニルヘプタ−１−エン−６−イン−１−イル）−２−オキソピロリジン−１−イル）ヘプタノエート；
メチル７−（（５Ｒ）−３，３−ジフルオロ−５−（（Ｅ）−３−ヒドロキシ−４−メチルオクタ−１−エン−１−イル）−２−オキソピロリジン−１−イル）ヘプタノエート；
メチル７−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）ヘプタノエート；
メチル７−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）ヘプタノエート；
メチル７−（（５Ｒ）−３，３−ジフルオロ−５−（（３Ｒ，Ｅ）−３−ヒドロキシ−４−メチル−７−フェニルヘプタ−１−エン−１−イル）−２−オキソピロリジン−１−イル）ヘプタノエート；
７−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）ヘプタン酸；
７−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）ヘプタン酸；
７−（（５Ｒ）−３，３−ジフルオロ−５−（（３Ｒ，Ｅ）−３−ヒドロキシ−４−メチル−７−フェニルヘプタ−１−エン−１−イル）−２−オキソピロリジン−１−イル）ヘプタン酸；
メチル７−（（５Ｒ）−３，３−ジフルオロ−５−（（Ｅ）−３−ヒドロキシノナ−１−エン−６−イン−１−イル）−２−オキソピロリジン−１−イル）ヘプタノエート；
メチル７−（（５Ｒ）−３，３−ジフルオロ−５−（（Ｅ）−３−ヒドロキシ−７−フェニルヘプタ−１−エン−６−イン−１−イル）−２−オキソピロリジン−１−イル）ヘプタノエート；
メチル７−（（Ｒ）−３，３−ジフルオロ−５−（（Ｓ，Ｅ）−３−ヒドロキシオクタ−１−エン−１−イル）−２−オキソピロリジン−１−イル）ヘプタノエート；
メチル７−（（Ｒ）−３，３−ジフルオロ−５−（（Ｒ，Ｅ）−３−ヒドロキシオクタ−１−エン−１−イル）−２−オキソピロリジン−１−イル）ヘプタノエート；
７−（（Ｒ）−３，３−ジフルオロ−５−（（Ｓ，Ｅ）−３−ヒドロキシオクタ−１−エン−１−イル）−２−オキソピロリジン−１−イル）ヘプタン酸；
７−（（Ｒ）−３，３−ジフルオロ−５−（（Ｒ，Ｅ）−３−ヒドロキシオクタ−１−エン−１−イル）−２−オキソピロリジン−１−イル）ヘプタン酸；
メチル７−（（Ｒ）−３，３−ジフルオロ−５−（（Ｓ，Ｅ）−３−ヒドロキシ−７−フェニルヘプタ−１−エン−１−イル）−２−オキソピロリジン−１−イル）ヘプタノエート；
メチル７−（（Ｒ）−３，３−ジフルオロ−５−（（Ｒ，Ｅ）−３−ヒドロキシ−７−フェニルヘプタ−１−エン−１−イル）−２−オキソピロリジン−１−イル）ヘプタノエート；
７−（（Ｒ）−３，３−ジフルオロ−５−（（Ｓ，Ｅ）−３−ヒドロキシ−７−フェニルヘプタ−１−エン−１−イル）−２−オキソピロリジン−１−イル）ヘプタン酸；
７−（（Ｒ）−３，３−ジフルオロ−５−（（Ｒ，Ｅ）−３−ヒドロキシ−７−フェニルヘプタ−１−エン−１−イル）−２−オキソピロリジン−１−イル）ヘプタン酸；
メチル４−（２−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）エチル）ベンゾエート；
メチル４−（２−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）エチル）ベンゾエート；
メチル４−（２−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）エチル）ベンゾエート；
４−（２−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）エチル）安息香酸；
４−（２−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）エチル）安息香酸；
４−（２−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチルデカ−１−エン−６−イン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチル−７−フェニルヘプタ−１−エン−６−イン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチルオクタ−１−エン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）エチル）安息香酸；
４−（２−（（Ｒ）−３，３−ジフルオロ−５−（（Ｓ，Ｅ）−３−ヒドロキシオクタ−１−エン−６−イン−１−イル）−２−オキソピロリジン−１−イル）エチル）安息香酸；
４−（２−（（Ｒ）−３，３−ジフルオロ−５−（（Ｓ，Ｅ）−３−ヒドロキシノナ−１−エン−６−イン−１−イル）−２−オキソピロリジン−１−イル）エチル）安息香酸；
４−（２−（（Ｒ）−３，３−ジフルオロ−５−（（Ｓ，Ｅ）−３−ヒドロキシデカ−１−エン−６−イン−１−イル）−２−オキソピロリジン−１−イル）エチル）安息香酸；
４−（２−（（Ｒ）−３，３−ジフルオロ−５−（（Ｓ，Ｅ）−３−ヒドロキシ−７−フェニルヘプタ−１−エン−６−イン−１−イル）−２−オキソピロリジン−１−イル）エチル）安息香酸；
メチル４−（２−（（Ｒ）−３，３−ジフルオロ−５−（（Ｓ，Ｅ）−３−ヒドロキシオクタ−１−エン−１−イル）−２−オキソピロリジン−１−イル）エチル）ベンゾエート；
メチル４−（２−（（Ｒ）−３，３−ジフルオロ−５−（（Ｒ，Ｅ）−３−ヒドロキシオクタ−１−エン−１−イル）−２−オキソピロリジン−１−イル）エチル）ベンゾエート；
４−（２−（（Ｒ）−３，３−ジフルオロ−５−（（Ｓ，Ｅ）−３−ヒドロキシオクタ−１−エン−１−イル）−２−オキソピロリジン−１−イル）エチル）安息香酸；
４−（２−（（Ｒ）−３，３−ジフルオロ−５−（（Ｒ，Ｅ）−３−ヒドロキシオクタ−１−エン−１−イル）−２−オキソピロリジン−１−イル）エチル）安息香酸；
４−（２−（（Ｒ）−３，３−ジフルオロ−５−（（Ｓ，Ｅ）−３−ヒドロキシ−７−フェニルヘプタ−１−エン−１−イル）−２−オキソピロリジン−１−イル）エチル）安息香酸；
５−（３−（（Ｒ）−３，３−ジフルオロ−５−（（３Ｓ，４Ｓ，Ｅ）−３−ヒドロキシ−４−メチルオクタ−１−エン−６−イン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）プロピル）チオフェン−２−カルボキシレート；
メチル５−（３−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）プロピル）チオフェン−２−カルボキシレート；
メチル５−（３−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）プロピル）チオフェン−２−カルボン酸；
５−（３−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−メチルデカ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−メチル−７−フェニルヘプタ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−メチルオクタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−７−フェニルヘプタ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−７−フェニルヘプタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボキシレート；
メチル５−（３−（（Ｒ）−３，３−ジフルオロ−５−（（３Ｒ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボキシレート；
５−（３−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボン酸；
５−（３−（（Ｒ）−３，３−ジフルオロ−５−（（３Ｒ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボン酸；
５−（３−（（Ｓ）−３，３−ジフルオロ−５−（（３Ｒ，４Ｓ）−３−ヒドロキシ−４−メチル−７−フェニルヘプチル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシオクタ−１−エン−６−イン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシノナ−１−エン−６−イン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシデカ−１−エン−６−イン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシ−７−フェニルヘプタ−１−エン−６−イン−１−イル）−２−オキソピロリジン−１−イル）プロピル）チオフェン−２−カルボン酸；
メチル５−（３−（（Ｒ）−３，３−ジフルオロ−５−（（Ｓ，Ｅ）−３−ヒドロキシオクタ−１−エン−１−イル）−２−オキソピロリジン−１−イル）プロピル）チオフェン−２−カルボキシレート；
メチル５−（３−（（Ｒ）−３，３−ジフルオロ−５−（（Ｒ，Ｅ）−３−ヒドロキシオクタ−１−エン−１−イル）−２−オキソピロリジン−１−イル）プロピル）チオフェン−２−カルボキシレート；
５−（３−（（Ｒ）−３，３−ジフルオロ−５−（（Ｓ，Ｅ）−３−ヒドロキシオクタ−１−エン−１−イル）−２−オキソピロリジン−１−イル）プロピル）チオフェン−２−カルボン酸；
５−（３−（（Ｒ）−３，３−ジフルオロ−５−（（Ｒ，Ｅ）−３−ヒドロキシオクタ−１−エン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシ−７−フェニルヘプタ−１−エン−１−イル）−２−オキソピロリジン−１−イル）プロピル）チオフェン−２−カルボン酸；
メチル５−（３−（（Ｒ）−３，３−ジフルオロ−５−（（３Ｒ，４Ｓ，Ｅ）−３−ヒドロキシ−４−フェニルペンタ−１−エン−１−イル）−２−オキソピロリジン−１−イル）プロピル）チオフェン−２−カルボキシレート；
メチル５−（３−（（Ｒ）−３，３−ジフルオロ−５−（（３Ｓ，４Ｓ，Ｅ）−３−ヒドロキシ−４−フェニルペンタ−１−エン−１−イル）−２−オキソピロリジン−１−イル）プロピル）チオフェン−２−カルボキシレート；
５−（３−（（Ｒ）−３，３−ジフルオロ−５−（（３Ｒ，４Ｓ，Ｅ）−３−ヒドロキシ−４−フェニルペンタ−１−エン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−フェニルペンタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−５−フェニルペンタ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−５−フェニルペンタ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−５−フェニルペンタ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−５−フェニルペンタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−６−フェニルヘキサ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−６−フェニルヘキサ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−６−フェニルヘキサ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−６−フェニルヘキサ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−８−フェニルオクタ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−８−フェニルオクタ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−８−フェニルオクタ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−８−フェニルオクタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−９−フェニルノナ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−９−フェニルノナ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−９−フェニルノナ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−９−フェニルノナ−１−エン−１−イル）−２−オキソピロリジン−１−イル）プロピル）チオフェン−２−カルボン酸；
メチル７−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）ヘプタン酸；
７−（（Ｒ）−２−（（３Ｓ，４Ｓ，Ｅ）−３−ヒドロキシ−４−メチルオクタ−１−エン−６−イン−１−イル）−５−オキソピロリジン−１−イル）ヘプタン酸；
７−（（Ｒ）−２−（（３Ｓ，４Ｒ，Ｅ）−３−ヒドロキシ−４−メチルオクタ−１−エン−６−イン−１−イル）−５−オキソピロリジン−１−イル）ヘプタン酸；
メチル７−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）ヘプタン酸；
７−（（Ｒ）−２−（（３Ｓ，４Ｓ，Ｅ）−３−ヒドロキシ−４−メチルノナ−１−エン−６−イン−１−イル）−５−オキソピロリジン−１−イル）ヘプタン酸；
７−（（Ｒ）−２−（（３Ｓ，４Ｒ，Ｅ）−３−ヒドロキシ−４−メチルノナ−１−エン−６−イン−１−イル）−５−オキソピロリジン−１−イル）ヘプタン酸；
メチル７−（（２Ｒ）−２−（（３Ｓ，４Ｓ，Ｅ）−３−ヒドロキシ−４−メチルノナ−１−エン−６−イン−１−イル）−５−オキソピロリジン−１−イル）ヘプタノエート；
メチル７−（（２Ｒ）−２−（（３Ｒ，４Ｓ，Ｅ）−３−ヒドロキシ−４−メチルノナ−１−エン−６−イン−１−イル）−５−オキソピロリジン−１−イル）ヘプタノエート；
メチル７−（（２Ｒ）−２−（（３Ｓ，４Ｒ／Ｓ，Ｅ）−３−ヒドロキシ−４−メチルデカ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチルデカ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチルデカ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチルデカ−１−エン−６−イン−１−イル）−５−オキソピロリジン−１−イル）ヘプタン酸；
メチル７−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）ヘプタン酸；
メチル７−（（２Ｒ）−２−（（３Ｓ，Ｅ）−３−ヒドロキシ−７−フェニルヘプタ−１−エン−６−イン−１−イル）−５−オキソピロリジン−１−イル）ヘプタノエート；
メチル７−（（２Ｒ）−２−（（３Ｒ，Ｅ）−３−ヒドロキシ−７−フェニルヘプタ−１−エン−６−イン−１−イル）−５−オキソピロリジン−１−イル）ヘプタノエート；
７−（（Ｒ）−２−（（３Ｓ，Ｅ）−３−ヒドロキシ−７−フェニルヘプタ−１−エン−６−イン−１−イル）−５−オキソピロリジン−１−イル）ヘプタン酸；
７−（（Ｒ）−２−（（３Ｒ，Ｅ）−３−ヒドロキシ−７−フェニルヘプタ−１−エン−６−イン−１−イル）−５−オキソピロリジン−１−イル）ヘプタン酸；
メチル７−（（Ｒ）−２−（（Ｒ，Ｅ）−３−ヒドロキシヘプタ−１−エン−４−イン−１−イル）−５−オキソピロリジン−１−イル）ヘプタノエート；
メチル７−（（Ｒ）−２−（（Ｓ，Ｅ）−３−ヒドロキシヘプタ−１−エン−４−イン−１−イル）−５−オキソピロリジン−１−イル）ヘプタノエート；
７−（（Ｒ）−２−（（Ｒ，Ｅ）−３−ヒドロキシヘプタ−１−エン−４−イン−１−イル）−５−オキソピロリジン−１−イル）ヘプタン酸；
７−（（Ｒ）−２−（（Ｓ，Ｅ）−３−ヒドロキシヘプタ−１−エン−４−イン−１−イル）−５−オキソピロリジン−１−イル）ヘプタン酸；
メチル７−（（Ｒ）−２−（（Ｒ，Ｅ）−３−ヒドロキシ−５−フェニルペンタ−１−エン−４−イン−１−イル）−５−オキソピロリジン−１−イル）ヘプタノエート；
メチル７−（（Ｒ）−２−（（Ｓ，Ｅ）−３−ヒドロキシ−５−フェニルペンタ−１−エン−４−イン−１−イル）−５−オキソピロリジン−１−イル）ヘプタノエート；
７−（（Ｒ）−２−（（Ｒ，Ｅ）−３−ヒドロキシ−５−フェニルペンタ−１−エン−４−イン−１−イル）−５−オキソピロリジン−１−イル）ヘプタン酸；
７−（（Ｒ）−２−（（Ｓ，Ｅ）−３−ヒドロキシ−５−フェニルペンタ−１−エン−４−イン−１−イル）−５−オキソピロリジン−１−イル）ヘプタン酸；
メチル４−（２−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）エチル）ベンゾエート；
メチル４−（２−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）エチル）ベンゾエート；
４−（２−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）エチル）安息香酸；
４−（２−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）エチル）安息香酸；
エチル４−（２−（（Ｒ）−２−（（３Ｓ，４Ｓ，Ｅ）−３−ヒドロキシ−４−メチルノナ−１−エン−６−イン−１−イル）−５−オキソピロリジン−１−イル）エチル）ベンゾエート；
エチル４−（２−（（Ｒ）−２−（（３Ｒ，４Ｓ，Ｅ）−３−ヒドロキシ−４−メチルノナ−１−エン−６−イン−１−イル）−５−オキソピロリジン−１−イル）エチル）ベンゾエート；
４−（２−（（Ｒ）−２−（（３Ｓ，４Ｓ，Ｅ）−３−ヒドロキシ−４−メチルノナ−１−エン−６−イン−１−イル）−５−オキソピロリジン−１−イル）エチル）安息香酸；
４−（２−（（Ｒ）−２−（（３Ｒ，４Ｓ，Ｅ）−３−ヒドロキシ−４−メチルノナ−１−エン−６−イン−１−イル）−５−オキソピロリジン−１−イル）エチル）安息香酸；
エチル４−（２−（（Ｒ）−２−（（３Ｓ，４Ｒ／Ｓ，Ｅ）−３−ヒドロキシ−４−メチルデカ−１−エン−６−イン−１−イル）−５−オキソピロリジン−１−イル）エチル）ベンゾエート；
エチル４−（２−（（Ｒ）−２−（（３Ｒ，４Ｒ／Ｓ，Ｅ）−３−ヒドロキシ−４−メチルデカ−１−エン−６−イン−１−イル）−５−オキソピロリジン−１−イル）エチル）ベンゾエート；
４−（２−（（２Ｒ）−２−（（３Ｓ，Ｅ）−３−ヒドロキシ−４−メチルデカ−１−エン−６−イン−１−イル）−５−オキソピロリジン−１−イル）エチル）安息香酸；
４−（２−（（２Ｒ）−２−（（３Ｒ，Ｅ）−３−ヒドロキシ−４−メチルデカ−１−エン−６−イン−１−イル）−５−オキソピロリジン−１−イル）エチル）安息香酸；
メチル４−（２−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）エチル）ベンゾエート；
メチル４−（２−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）エチル）ベンゾエート；
４−（２−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）エチル）安息香酸；
４−（２−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）エチル）安息香酸；
メチル２−（４−（（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）メチル）フェニル）アセテート；
メチル２−（４−（（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）メチル）フェニル）アセテート；
２−（４−（（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）メチル）フェニル）酢酸；
２−（４−（（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）メチル）フェニル）酢酸；
メチル５−（３−（（２Ｒ）−２−（（３Ｓ，Ｅ）−３−ヒドロキシ−４−メチルノナ−１−エン−６−イン−１−イル）−５−オキソピロリジン−１−イル）プロパ−１−イン−１−イル）チオフェン−２−カルボキシレート；
メチル５−（３−（（２Ｒ）−２−（（３Ｒ，Ｅ）−３−ヒドロキシ−４−メチルノナ−１−エン−６−イン−１−イル）−５−オキソピロリジン−１−イル）プロパ−１−イン−１−イル）チオフェン−２−カルボキシレート；
５−（３−（（２Ｒ）−２−（（３Ｓ，Ｅ）−３−ヒドロキシ−４−メチルノナ−１−エン−６−イン−１−イル）−５−オキソピロリジン−１−イル）プロパ−１−イン−１−イル）チオフェン−２−カルボン酸；
５−（３−（（２Ｒ）−２−（（３Ｒ，Ｅ）−３−ヒドロキシ−４−メチルノナ−１−エン−６−イン−１−イル）−５−オキソピロリジン−１−イル）プロパ−１−イン−１−イル）チオフェン−２−カルボン酸；
メチル５−（３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロパ−１−イン−１−イル）チオフェン−２−カルボキシレート；
メチル５−（３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロパ−１−イン−１−イル）チオフェン−２−カルボキシレート；
５−（（Ｚ）−３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
５−（（Ｚ）−３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
メチル５−（（Ｚ）−３−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボキシレート；
メチル５−（（Ｚ）−３−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボキシレート；
５−（（Ｚ）−３−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボン酸；
５−（（Ｚ）−３−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボン酸；
メチル５−（（Ｚ）−３−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボキシレート；
メチル５−（（Ｚ）−３−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボキシレート；
５−（（Ｚ）−３−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
５−（（Ｚ）−３−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
メチル５−（３−（（Ｒ）−２−（（３Ｓ，４Ｓ，Ｅ）−３−ヒドロキシ−４−メチルノナ−１−エン−６−イン−１−イル）−５−オキソピロリジン−１−イル）プロピル）チオフェン−２−カルボキシレート；
メチル５−（３−（（Ｒ）−２−（（３Ｓ，４Ｒ，Ｅ）−３−ヒドロキシ−４−メチルノナ−１−エン−６−イン−１−イル）−５−オキソピロリジン−１−イル）プロピル）チオフェン−２−カルボキシレート；
メチル５−（３−（（２Ｒ）−２−（（３Ｒ，Ｅ）−３−ヒドロキシ−４−メチルノナ−１−エン−６−イン−１−イル）−５−オキソピロリジン−１−イル）プロピル）チオフェン−２−カルボキシレート；
５−（３−（（Ｒ）−２−（（３Ｓ，４Ｓ，Ｅ）−３−ヒドロキシ−４−メチルノナ−１−エン−６−イン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチルノナ−１−エン−６−イン−１−イル）−５−オキソピロリジン−１−イル）プロピル）チオフェン−２−カルボン酸；
５−（３−（（Ｒ）−２−（（３Ｓ，Ｅ）−３−ヒドロキシ−４−メチルノナ−１−エン−６−イン−１−イル）−５−オキソピロリジン−１−イル）プロピル）チオフェン−２−カルボン酸；
５−（３−（（Ｒ）−２−（（３Ｒ，Ｅ）−３−ヒドロキシ−４−メチルノナ−１−エン−６−イン−１−イル）−５−オキソピロリジン−１−イル）プロピル）チオフェン−２−カルボン酸；
メチル５−（３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロピル）チオフェン−２−カルボキシレート；
メチル５−（３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロピル）チオフェン−２−カルボキシレート；
５−（３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロピル）チオフェン−２−カルボン酸；
５−（３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロピル）チオフェン−２−カルボン酸；
メチル７−（（Ｒ）−２−（（Ｓ，Ｅ）−３−ヒドロキシ−７−フェニルヘプタ−１−エン−１−イル）−５−オキソピロリジン−１−イル）ヘプタノエート；
メチル７−（（Ｒ）−２−（（Ｒ，Ｅ）−３−ヒドロキシ−７−フェニルヘプタ−１−エン−１−イル）−５−オキソピロリジン−１−イル）ヘプタノエート；
７−（（Ｒ）−２−（（Ｓ，Ｅ）−３−ヒドロキシ−７−フェニルヘプタ−１−エン−１−イル）−５−オキソピロリジン−１−イル）ヘプタン酸；
７−（（Ｒ）−２−（（Ｒ，Ｅ）−３−ヒドロキシ−７−フェニルヘプタ−１−エン−１−イル）−５−オキソピロリジン−１−イル）ヘプタン酸；
メチル７−（（２Ｒ）−２−（（３Ｓ，Ｅ）−３−ヒドロキシ−４−メチル−７−フェニルヘプタ−１−エン−１−イル）−５−オキソピロリジン−１−イル）ヘプタノエート；
メチル７−（（２Ｒ）−２−（（３Ｒ，Ｅ）−３−ヒドロキシ−４−メチル−７−フェニルヘプタ−１−エン−１−イル）−５−オキソピロリジン−１−イル）ヘプタノエート；
７−（（２Ｒ）−２−（（３Ｓ，Ｅ）−３−ヒドロキシ−４−メチル−７−フェニルヘプタ−１−エン−１−イル）−５−オキソピロリジン−１−イル）ヘプタン酸；
７−（（２Ｒ）−２−（（３Ｒ，Ｅ）−３−ヒドロキシ−４−メチル−７−フェニルヘプタ−１−エン−１−イル）−５−オキソピロリジン−１−イル）ヘプタン酸；
７−（（Ｒ）−２−（（３Ｓ，４Ｓ，Ｅ）−３−ヒドロキシ−４−メチル−７−フェニルヘプタ−１−エン−１−イル）−５−オキソピロリジン−１−イル）ヘプタン酸；
７−（（Ｒ）−２−（（３Ｓ，４Ｒ，Ｅ）−３−ヒドロキシ−４−メチル−７−フェニルヘプタ−１−エン−１−イル）−５−オキソピロリジン−１−イル）ヘプタン酸；
メチル５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボキシレート；
メチル５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボキシレート；
５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボン酸；
５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボン酸；
メチル５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロピル）チオフェン−２−カルボキシレート；
メチル５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロピル）チオフェン−２−カルボキシレート；
５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｒ，４Ｓ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｒ，４Ｒ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｒ，４Ｓ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｒ，４Ｒ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−９−フェニルノナ−１−エン−１−イル）−５−オキソピロリジン−１−イル）プロピル）チオフェン−２−カルボン酸；
５−（３−（（Ｒ）−２−（（３Ｒ，４Ｓ，Ｅ）−３−ヒドロキシ−４−メチル−９−フェニルノナ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−９−フェニルオクトノナ（ｐｈｅｎｙｌｏｃｔｎｏｎ）−１−エン−１−イル）−５−オキソピロリジン−１−イル）プロピル）チオフェン−２−カルボン酸；
５−（３−（（Ｒ）−２−（（３Ｒ，４Ｒ，Ｅ）−３−ヒドロキシ−４−メチル−９−フェニルノナ−１−エン−１−イル）−５−オキソピロリジン−１−イル）プロピル）チオフェン−２−カルボン酸；
又はその薬学的に許容可能な塩からなる群から選択される、態様１５に記載の骨組成物。
態様２０
前記１つ以上の骨修復薬が骨芽細胞を活性化させる、態様１５に記載の骨組成物。
態様２１
前記１つ以上の骨修復薬が破骨細胞を阻害する、態様１５に記載の骨組成物。
態様２２
前記１つ以上の骨修復薬が、骨芽細胞を活性化させる少なくとも１つの薬物と、破骨細胞を阻害する少なくとも１つの薬物とを含む、態様１５に記載の骨組成物。
態様２３
前記１つ以上の骨修復薬が骨芽細胞を活性化させ、及び破骨細胞を阻害する、態様１５に記載の骨組成物。
態様２４
前記１つ以上の骨修復薬が、アレンドロン酸、アレンドロン酸ナトリウム、イバンドロネート、リセドロネート、ゾレドロネート、ゾレドロン酸、エチドロネート、パミドロネート、チルドロネート、ネリドロネート、及びオルパドロネート、オダナカチブ、ラロキシフェン、バゼドキシフェン、ラソフォキシフェン、アトルバスタチン、セリバスタチン、フルバスタチン、ロバスタチン、メバスタチン、ピタバスタチン（ｐｉｔａｂａｓｔａｔｉｎ）、プラバスタチン、ロスバスタチン、シンバスタチン、ラネル酸ストロンチウム、カルシトニン、副甲状腺ホルモン、骨形態形成タンパク質−２、骨形態形成タンパク質−４、又は骨形態形成タンパク質−７の１つ以上である、態様１５に記載の骨組成物。
態様２５
前記１つ以上の骨修復薬が、ＥＰ２アゴニスト、ＥＰ２／ＥＰ４デュアルアゴニスト、ＥＰ４アゴニスト、有機ビスホスホネート、エストロゲン受容体モジュレーター、アンドロゲン受容体モジュレーター、ＨＭＧ−ＣｏＡ還元酵素阻害薬、及びラネル酸ストロンチウムから選択される、態様１５に記載の骨組成物。
態様２６
鎮痛薬、抗炎症剤、抗菌剤、又は抗癌剤の１つ以上をさらに含む、態様１〜２５のいずれか一項に記載の骨組成物。
態様２７
必要とする患者において骨を修復し又は骨密度を増加させる方法において、
前記患者における骨欠損に骨修復薬を局所送達するステップを含み、前記骨修復薬が、
薬物担体混合物であって、前記骨修復薬とリン酸カルシウムセメントとを含む薬物担体混合物と、
コラーゲンスポンジ又は骨基質であって、少なくとも部分的に脱ミネラル化されている骨基質と、
を含む骨修復組成物から送達される、方法。
態様２８
前記骨修復組成物を前記患者に植え込むステップをさらに含む、態様２７に記載の方法。
態様２９
前記骨基質がインタクトな形態である、態様２７に記載の方法。
態様３０
前記骨基質が粉砕された形態である、態様２７に記載の方法。
態様３１
前記骨修復組成物から鎮痛薬、抗炎症剤、抗菌剤、又は抗癌剤の１つ以上を局所送達するステップをさらに含む、態様２７に記載の方法。
態様３２
前記骨修復組成物がコラーゲンスポンジを含む、態様２７に記載の方法。
態様３３
前記骨修復組成物が骨基質を含み、前記骨基質が少なくとも部分的に脱ミネラル化されている、態様２７に記載の方法。
態様３４
硬化非セラミックリン酸カルシウムセメント中に治療有効量の薬物を含む固形インサートであって、前記薬物が前記硬化非セラミックリン酸カルシウムセメント全体にわたり実質的に均一に包埋されている、固形インサート
を含む骨組成物。
態様３５
前記固形インサートが、前記薬物とリン酸カルシウムセメントとの実質的に均一な混合物を形成するステップと、前記リン酸カルシウムセメントを硬化させるステップとを含む方法によって調製される、態様３４に記載の骨組成物。
態様３６
前記硬化させるステップが溶解−沈殿プロセスを含む、態様３５に記載の骨組成物。
態様３７
前記固形インサートが、穿孔された骨に挿入するように適合される、態様３４に記載の骨組成物。
態様３８
硬化前の前記リン酸カルシウムセメントが、α−リン酸三カルシウム、β−リン酸三カルシウム、ヒドロキシアパタイト、リン酸二カルシウム、又はリン酸四カルシウムの１つ以上を含む、態様３５又は３６に記載の骨組成物。
態様３９
硬化前の前記リン酸カルシウムセメントが、α−リン酸三カルシウムとβ−リン酸三カルシウムとを約１対３の比で含む、態様３８に記載の骨組成物。
態様４０
硬化前の前記リン酸カルシウムセメントが、α−リン酸三カルシウムとβ−リン酸三カルシウムとを約１対１の比で含む、態様３８に記載の骨組成物。
態様４１
硬化前の前記リン酸カルシウムセメントが、α−リン酸三カルシウムとβ−リン酸三カルシウムとを約１対０の比で含む、態様３８に記載の骨組成物。
態様４２
前記薬物が１つ以上の骨修復薬を含む、態様３４〜４１のいずれか一項に記載の骨組成物。
態様４３
前記１つ以上の骨修復薬が、プロスタグランジンＥ１；プロスタグランジンＥ２；ＥＰ２アゴニスト；ＥＰ２／ＥＰ４デュアルアゴニスト；ＥＰ４アゴニスト；有機ビスホスホネート；カテプシンＫ阻害薬；エストロゲン又はエストロゲン受容体モジュレーター；カルシトニン；破骨細胞プロトンＡＴＰアーゼ阻害薬；ＨＭＧ−ＣｏＡ還元酵素阻害薬；αｖβ３インテグリン受容体アンタゴニスト；骨形態形成タンパク質；ＲＡＮＫＬ阻害薬；副甲状腺ホルモン；ビタミンＤ又は合成ビタミンＤ類似体；アンドロゲン又はアンドロゲン受容体モジュレーター；Ｗｎｔ／β−カテニンシグナル伝達アクチベータ；ボルテゾミブ；ラネル酸ストロンチウム；血小板由来成長因子；並びにこれらの薬学的に許容可能な塩及び混合物から選択される１つ以上の薬物である、態様４２に記載の骨組成物。
態様４４
前記１つ以上の骨修復薬がＥＰ４アゴニストである、態様４２に記載の骨組成物。
態様４５
前記１つ以上の骨修復薬が式（Ｉ）の化合物
【数８】
2016527006.tif 000008
又はその薬学的に許容可能な塩であり、式中、
Ｘは両方ともに水素又はフルオロのいずれかであり；
Ｌ１は、
ａ）Ｃ３〜Ｃ７アルキレン、Ｃ３〜Ｃ７アルケニレン、又はＣ３〜Ｃ７アルキニレン（ここでＣ３〜Ｃ７アルキレン、Ｃ３〜Ｃ７アルケニレン、又はＣ３〜Ｃ７アルキニレンは、各々場合により、１、２、３、又は４個のフルオロ置換基で置換されている）；
ｂ）−（ＣＨ２）ｔ−Ｇ−（ＣＨ２）ｐ−（式中、ｔは０、１、又は２であり、ｐは０、１、２、又は３であり、及びｔ＋ｐ＝０、１、２、３、又は４である）；又は
ｃ）−（ＣＨ２）ｎ−Ｇ１−（ＣＨ２）ｐ−、−（ＣＨ２）ｎ−Ｇ２−（ＣＨ２）ｐ−、−（ＣＨ２）ｎ−Ｃ≡Ｃ−Ｇ２−、又は−（ＣＨ２）ｎ−Ｃ（Ｒ１３）＝Ｃ（Ｒ１３）−Ｇ２−（式中、ｎは１、２、３、４、又は５であり、ｐは０、１、２、又は３であり、及びｎ＋ｐ＝１、２、３、４、５、又は６である）であり；
Ｇは、
【数９】
2016527006.tif 000009
であり；
Ｇ１は、Ｏ、Ｃ（Ｏ）、Ｓ、Ｓ（Ｏ）、Ｓ（Ｏ）２、又はＮＲ８であり；式中、Ｒ８は、Ｈ、Ｃ１〜Ｃ４アルキル、又はＣ１〜Ｃ４アルキルカルボニルであり；
Ｇ２は、
【数１０】
2016527006.tif 000010
であり；ここでＧ２は、場合により、Ｃ１〜Ｃ４アルキル、Ｃ１〜Ｃ３ハロアルキル、シアノ、ハロゲン、Ｃ１〜Ｃ３アルコキシ、及びＣ１〜Ｃ３ハロアルコキシからなる群から選択される１、２、又は３個の置換基で置換されており；
Ｒ１は、ＣＯＯＲ１０、ＣＯＮＲ１０Ｒ１１、ＣＨ２ＯＲ１０、ＳＯ３Ｒ１０、ＳＯ２ＮＲ１０Ｒ１１、ＰＯ（ＯＲ１０）２、又はテトラゾール−５−イルであり；
Ｒ１０は、Ｈ、Ｃ１〜Ｃ４アルキル、又はアリールであり；
Ｒ１１は、Ｈ、Ｃ１〜Ｃ４アルキル、ＣＯＲ１２、ＯＲ１０、又はＳＯ２Ｒ１２であり；
Ｒ１２は、Ｃ１〜Ｃ４アルキルであり；
Ｒ１３は、存在する毎に、独立してＨ又はＣ１〜Ｃ４アルキルであり；
Ｌ４は、−Ｃ（Ｒ２）２−Ｃ（Ｒ３）２−、−Ｃ（Ｒ２）＝Ｃ（Ｒ３）−、−Ｃ≡Ｃ−、又は
【数１１】
2016527006.tif 000011
であり；式中、Ｒ２及びＲ３は、各々、Ｈ、ＣＨ３、フルオロ、又はクロロ（ｃｈｏｒｏ）であり；
Ｌ２は、−ＣＨ２−又は結合であり；
Ｒ４及びＲ５は、各々独立してＨ、Ｆ、ＣＦ３、又はＣ１〜Ｃ４アルキルであり；又はＲ４及びＲ５は、それらが結合する炭素と共に、Ｃ３〜Ｃ５シクロアルキル、
【数１２】
2016527006.tif 000012
を形成し；
Ｒ６は、アリール、ヘテロアリール、Ｃ３〜Ｃ１０アルキル、Ｃ３〜Ｃ１０アルケニル、Ｃ３〜Ｃ１０アルキニル、Ｃ３〜Ｃ１０ハロアルキル、Ｃ３〜Ｃ１０ハロアルケニル、Ｃ３〜Ｃ１０ハロアルキニル、又はＬ３−Ｒ７であり；ここでアリール及びヘテロアリールは、場合により、Ｃ１〜Ｃ４アルキル、Ｃ１〜Ｃ３ハロアルキル、シアノ、ハロゲン、Ｃ１〜Ｃ３アルコキシ、Ｃ１〜Ｃ３ハロアルコキシ；及び−Ｃ１〜Ｃ３アルキレン−Ｃ１〜Ｃ３アルコキシからなる群から選択される１、２、３、又は４個の置換基で置換されており；及びここでＣ３〜Ｃ１０アルキル、Ｃ３〜Ｃ１０アルケニル、Ｃ３〜Ｃ１０アルキニル、Ｃ３〜Ｃ１０ハロアルキル、Ｃ３〜Ｃ１０ハロアルケニル、及びＣ３〜Ｃ１０ハロアルキニルは、場合により、ＣＯＯＲ１０’、ＣＯＮＲ１０’Ｒ１１’、ＣＨ２ＯＲ１０’、ＳＯ３Ｒ１０’、ＳＯ２ＮＲ１０’Ｒ１１’、ＰＯ（ＯＲ１０’）２、及びテトラゾール−５−イルからなる群から選択される置換基で置換されており；
Ｒ１０’は、Ｈ、Ｃ１〜Ｃ４アルキル、又はアリールであり；
Ｒ１１’は、Ｈ、Ｃ１〜Ｃ４アルキル、ＣＯＲ１２’、ＯＲ１０’、又はＳＯ２Ｒ１２’であり；
Ｒ１２’は、Ｃ１〜Ｃ４アルキルであり；
Ｌ３は、Ｃ１〜Ｃ６アルキレン、Ｃ２〜Ｃ６アルケニレン、Ｃ２〜Ｃ６アルキニレン、−（ＣＨ２）ｍ−Ｇ３−（ＣＨ２）ｑ−、−（ＣＨ２）ｍ−Ｇ４−（ＣＨ２）ｑ−、又は−Ｇ５−Ｃ≡Ｃ−であり；ここでＣ１〜Ｃ６アルキレン、Ｃ２〜Ｃ６アルケニレン、及びＣ２〜Ｃ６アルキニレンは、場合により、１、２、３、又は４個のフルオロ置換基で置換されており；及び式中、ｍ及びｑは、各々独立して、０、１、２、又は３であり、且つｍ＋ｑ＝０、１、２、３、又は４であり；
Ｇ３は、Ｏ、Ｃ（Ｏ）、Ｓ、Ｓ（Ｏ）、Ｓ（Ｏ）２、又はＮＲ９であり；式中、Ｒ９は、Ｈ、Ｃ１〜Ｃ４アルキル、又はＣ１〜Ｃ４アルキルカルボニルであり；
Ｇ４は、
【数１３】
2016527006.tif 000013
であり；ここでＧ４は、場合により、Ｃ１〜Ｃ４アルキル、Ｃ１〜Ｃ３ハロアルキル、シアノ、ハロゲン、Ｃ１〜Ｃ３アルコキシ、及びＣ１〜Ｃ３ハロアルコキシからなる群から選択される１、２、又は３個の置換基で置換されており；
Ｇ５は、
【数１４】
2016527006.tif 000014
であり、ここでＧ５は、場合により、Ｃ１〜Ｃ４アルキル、Ｃ１〜Ｃ３ハロアルキル、シアノ、ハロゲン、Ｃ１〜Ｃ３アルコキシ、及びＣ１〜Ｃ３ハロアルコキシからなる群から選択される１、２、又は３個の置換基で置換されており；
Ｒ７は、Ｃ３〜Ｃ８シクロアルキル、アリール、ヘテロアリール、又はヘテロシクリルであり；ここでＲ７は、場合により、Ｃ１〜Ｃ４アルキル、Ｃ１〜Ｃ３ハロアルキル、シアノ、ハロゲン、Ｃ１〜Ｃ３アルコキシ、Ｃ１〜Ｃ３ハロアルコキシ、及び−Ｃ１〜Ｃ３アルキレン−Ｃ１〜Ｃ３アルコキシからなる群から選択される１、２、３、又は４個の置換基で置換されており；
ｒは０又は１であり；及び
ｓは０又は１である、態様４２に記載の骨組成物。
態様４６
前記１つ以上の骨修復薬が、ＣＰ−７３４４３２；ＯＮＯ−４８１９；ＡＥ１−３２９；Ｌ−９０２，６８８；
メチル７−（（Ｒ）−３，３−ジフルオロ−５−（（３Ｓ，４Ｓ，Ｅ）−３−ヒドロキシ−４−メチルオクタ−１−エン−６−イン−１−イル）−２−オキソピロリジン−１−イル）ヘプタノエート；
メチル７−（（Ｒ）−３，３−ジフルオロ−５−（（３Ｓ，４Ｒ，Ｅ）−３−ヒドロキシ−４−メチルオクタ−１−エン−６−イン−１−イル）−２−オキソピロリジン−１−イル）ヘプタノエート；
メチル７−（（５Ｒ）−３，３−ジフルオロ−５−（（３Ｒ，Ｅ）−３−ヒドロキシ−４−メチルオクタ−１−エン−６−イン−１−イル）−２−オキソピロリジン−１−イル）ヘプタノエート；
メチル７−（（Ｒ）−３，３−ジフルオロ−５−（（３Ｒ，４Ｓ，Ｅ）−３−ヒドロキシ−４−メチルオクタ−１−エン−６−イン−１−イル）−２−オキソピロリジン−１−イル）ヘプタノエート；
メチル７−（（Ｒ）−３，３−ジフルオロ−５−（（３Ｒ，４Ｒ，Ｅ）−３−ヒドロキシ−４−メチルオクタ−１−エン−６−イン−１−イル）−２−オキソピロリジン−１−イル）ヘプタノエート；
７−（（Ｒ）−３，３−ジフルオロ−５−（（３Ｓ，４Ｓ，Ｅ）−３−ヒドロキシ−４−メチルオクタ−１−エン−６−イン−１−イル）−２−オキソピロリジン−１−イル）ヘプタン酸；
７−（（Ｒ）−３，３−ジフルオロ−５−（（３Ｓ，４Ｒ，Ｅ）−３−ヒドロキシ−４−メチルオクタ−１−エン−６−イン−１−イル）−２−オキソピロリジン−１−イル）ヘプタン酸；
７−（（Ｒ）−３，３−ジフルオロ−５−（（３Ｒ，４Ｓ，Ｅ）−３−ヒドロキシ−４−メチルオクタ−１−エン−６−イン−１−イル）−２−オキソピロリジン−１−イル）ヘプタン酸；
７−（（Ｒ）−３，３−ジフルオロ−５−（（３Ｒ，４Ｒ，Ｅ）−３−ヒドロキシ−４−メチルオクタ−１−エン−６−イン−１−イル）−２−オキソピロリジン−１−イル）ヘプタン酸；
メチル７−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）ヘプタノエート；
メチル７−（（Ｒ）−３，３−ジフルオロ−５−（（３Ｒ，４Ｓ，Ｅ）−３−ヒドロキシ−４−メチルノナ−１−エン−６−イン−１−イル）−２−オキソピロリジン−１−イル）ヘプタノエート；
７−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）ヘプタン酸；
７−（（Ｒ）−３，３−ジフルオロ−５−（（３Ｒ，４Ｓ，Ｅ）−３−ヒドロキシ−４−メチルノナ−１−エン−６−イン−１−イル）−２−オキソピロリジン−１−イル）ヘプタン酸；
メチル７−（（５Ｒ）−３，３−ジフルオロ−５−（（Ｅ）−３−ヒドロキシ−４−メチルデカ−１−エン−６−イン−１−イル）−２−オキソピロリジン−１−イル）ヘプタノエート；
メチル７−（（５Ｒ）−３，３−ジフルオロ−５−（（Ｅ）−３−ヒドロキシ−４−メチル−７−フェニルヘプタ−１−エン−６−イン−１−イル）−２−オキソピロリジン−１−イル）ヘプタノエート；
メチル７−（（５Ｒ）−３，３−ジフルオロ−５−（（Ｅ）−３−ヒドロキシ−４−メチルオクタ−１−エン−１−イル）−２−オキソピロリジン−１−イル）ヘプタノエート；
メチル７−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）ヘプタノエート；
メチル７−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）ヘプタノエート；
メチル７−（（５Ｒ）−３，３−ジフルオロ−５−（（３Ｒ，Ｅ）−３−ヒドロキシ−４−メチル−７−フェニルヘプタ−１−エン−１−イル）−２−オキソピロリジン−１−イル）ヘプタノエート；
７−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）ヘプタン酸；
７−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）ヘプタン酸；
７−（（５Ｒ）−３，３−ジフルオロ−５−（（３Ｒ，Ｅ）−３−ヒドロキシ−４−メチル−７−フェニルヘプタ−１−エン−１−イル）−２−オキソピロリジン−１−イル）ヘプタン酸；
メチル７−（（５Ｒ）−３，３−ジフルオロ−５−（（Ｅ）−３−ヒドロキシノナ−１−エン−６−イン−１−イル）−２−オキソピロリジン−１−イル）ヘプタノエート；
メチル７−（（５Ｒ）−３，３−ジフルオロ−５−（（Ｅ）−３−ヒドロキシ−７−フェニルヘプタ−１−エン−６−イン−１−イル）−２−オキソピロリジン−１−イル）ヘプタノエート；
メチル７−（（Ｒ）−３，３−ジフルオロ−５−（（Ｓ，Ｅ）−３−ヒドロキシオクタ−１−エン−１−イル）−２−オキソピロリジン−１−イル）ヘプタノエート；
メチル７−（（Ｒ）−３，３−ジフルオロ−５−（（Ｒ，Ｅ）−３−ヒドロキシオクタ−１−エン−１−イル）−２−オキソピロリジン−１−イル）ヘプタノエート；
７−（（Ｒ）−３，３−ジフルオロ−５−（（Ｓ，Ｅ）−３−ヒドロキシオクタ−１−エン−１−イル）−２−オキソピロリジン−１−イル）ヘプタン酸；
７−（（Ｒ）−３，３−ジフルオロ−５−（（Ｒ，Ｅ）−３−ヒドロキシオクタ−１−エン−１−イル）−２−オキソピロリジン−１−イル）ヘプタン酸；
メチル７−（（Ｒ）−３，３−ジフルオロ−５−（（Ｓ，Ｅ）−３−ヒドロキシ−７−フェニルヘプタ−１−エン−１−イル）−２−オキソピロリジン−１−イル）ヘプタノエート；
メチル７−（（Ｒ）−３，３−ジフルオロ−５−（（Ｒ，Ｅ）−３−ヒドロキシ−７−フェニルヘプタ−１−エン−１−イル）−２−オキソピロリジン−１−イル）ヘプタノエート；
７−（（Ｒ）−３，３−ジフルオロ−５−（（Ｓ，Ｅ）−３−ヒドロキシ−７−フェニルヘプタ−１−エン−１−イル）−２−オキソピロリジン−１−イル）ヘプタン酸；
７−（（Ｒ）−３，３−ジフルオロ−５−（（Ｒ，Ｅ）−３−ヒドロキシ−７−フェニルヘプタ−１−エン−１−イル）−２−オキソピロリジン−１−イル）ヘプタン酸；
メチル４−（２−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）エチル）ベンゾエート；
メチル４−（２−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）エチル）ベンゾエート；
メチル４−（２−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）エチル）ベンゾエート；
４−（２−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）エチル）安息香酸；
４−（２−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）エチル）安息香酸；
４−（２−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチルデカ−１−エン−６−イン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチル−７−フェニルヘプタ−１−エン−６−イン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチルオクタ−１−エン−１−イル）−２−オキソピロリジン−１−イル）エチル）安息香酸；
４−（２−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）エチル）安息香酸；
４−（２−（（Ｒ）−３，３−ジフルオロ−５−（（Ｓ，Ｅ）−３−ヒドロキシオクタ−１−エン−６−イン−１−イル）−２−オキソピロリジン−１−イル）エチル）安息香酸；
４−（２−（（Ｒ）−３，３−ジフルオロ−５−（（Ｓ，Ｅ）−３−ヒドロキシノナ−１−エン−６−イン−１−イル）−２−オキソピロリジン−１−イル）エチル）安息香酸；
４−（２−（（Ｒ）−３，３−ジフルオロ−５−（（Ｓ，Ｅ）−３−ヒドロキシデカ−１−エン−６−イン−１−イル）−２−オキソピロリジン−１−イル）エチル）安息香酸；
４−（２−（（Ｒ）−３，３−ジフルオロ−５−（（Ｓ，Ｅ）−３−ヒドロキシ−７−フェニルヘプタ−１−エン−６−イン−１−イル）−２−オキソピロリジン−１−イル）エチル）安息香酸；
メチル４−（２−（（Ｒ）−３，３−ジフルオロ−５−（（Ｓ，Ｅ）−３−ヒドロキシオクタ−１−エン−１−イル）−２−オキソピロリジン−１−イル）エチル）ベンゾエート；
メチル４−（２−（（Ｒ）−３，３−ジフルオロ−５−（（Ｒ，Ｅ）−３−ヒドロキシオクタ−１−エン−１−イル）−２−オキソピロリジン−１−イル）エチル）ベンゾエート；
４−（２−（（Ｒ）−３，３−ジフルオロ−５−（（Ｓ，Ｅ）−３−ヒドロキシオクタ−１−エン−１−イル）−２−オキソピロリジン−１−イル）エチル）安息香酸；
４−（２−（（Ｒ）−３，３−ジフルオロ−５−（（Ｒ，Ｅ）−３−ヒドロキシオクタ−１−エン−１−イル）−２−オキソピロリジン−１−イル）エチル）安息香酸；
４−（２−（（Ｒ）−３，３−ジフルオロ−５−（（Ｓ，Ｅ）−３−ヒドロキシ−７−フェニルヘプタ−１−エン−１−イル）−２−オキソピロリジン−１−イル）エチル）安息香酸；
５−（３−（（Ｒ）−３，３−ジフルオロ−５−（（３Ｓ，４Ｓ，Ｅ）−３−ヒドロキシ−４−メチルオクタ−１−エン−６−イン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）プロピル）チオフェン−２−カルボキシレート；
メチル５−（３−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）プロピル）チオフェン−２−カルボキシレート；
メチル５−（３−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチルノナ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｒ，Ｅ）−３−ヒドロキシ−４−メチルノナ−１−エン−６−イン−１−イル）−２−オキソピロリジン−１−イル）プロピル）チオフェン−２−カルボン酸；
５−（３−（（５Ｒ）−３，３−ジフルオロ−５−（（３Ｒ，Ｅ）−３−ヒドロキシ−４−メチルノナ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−メチルデカ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−メチル−７−フェニルヘプタ−１−エン−６−イン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−メチルオクタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−７−フェニルヘプタ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−７−フェニルヘプタ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−７−フェニルヘプタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボキシレート；
メチル５−（３−（（Ｒ）−３，３−ジフルオロ−５−（（３Ｒ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボキシレート；
５−（３−（（Ｒ）−３，３−ジフルオロ−５−（（３Ｓ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボン酸；
５−（３−（（Ｒ）−３，３−ジフルオロ−５−（（３Ｒ，４Ｒ，Ｅ）−３−ヒドロキシ−４−メチル−７−フェニルヘプタ−１−エン−１−イル）−２−オキソピロリジン−１−イル）プロピル）チフェン（ｔｈｉｐｈｅｎｅ）−２−カルボン酸；
５−（３−（（Ｓ）−３，３−ジフルオロ−５−（（３Ｒ，４Ｓ）−３−ヒドロキシ−４−メチル−７−フェニルヘプチル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシオクタ−１−エン−６−イン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシノナ−１−エン−６−イン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシデカ−１−エン−６−イン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシ−７−フェニルヘプタ−１−エン−６−イン−１−イル）−２−オキソピロリジン−１−イル）プロピル）チオフェン−２−カルボン酸；
メチル５−（３−（（Ｒ）−３，３−ジフルオロ−５−（（Ｓ，Ｅ）−３−ヒドロキシオクタ−１−エン−１−イル）−２−オキソピロリジン−１−イル）プロピル）チオフェン−２−カルボキシレート；
メチル５−（３−（（Ｒ）−３，３−ジフルオロ−５−（（Ｒ，Ｅ）−３−ヒドロキシオクタ−１−エン−１−イル）−２−オキソピロリジン−１−イル）プロピル）チオフェン−２−カルボキシレート；
５−（３−（（Ｒ）−３，３−ジフルオロ−５−（（Ｓ，Ｅ）−３−ヒドロキシオクタ−１−エン−１−イル）−２−オキソピロリジン−１−イル）プロピル）チオフェン−２−カルボン酸；
５−（３−（（Ｒ）−３，３−ジフルオロ−５−（（Ｒ，Ｅ）−３−ヒドロキシオクタ−１−エン−１−イル）−２−オキソピロリジン−１−イル）プロピル）チオフェン−２−カルボン酸；
５−（３−（（Ｒ）−３，３−ジフルオロ−５−（（Ｓ，Ｅ）−３−ヒドロキシ−７−フェニルヘプタ−１−エン−１−イル）−２−オキソピロリジン−１−イル）プロピル）チオフェン−２−カルボン酸；
メチル５−（３−（（Ｒ）−３，３−ジフルオロ−５−（（３Ｒ，４Ｓ，Ｅ）−３−ヒドロキシ−４−フェニルペンタ−１−エン−１−イル）−２−オキソピロリジン−１−イル）プロピル）チオフェン−２−カルボキシレート；
メチル５−（３−（（Ｒ）−３，３−ジフルオロ−５−（（３Ｓ，４Ｓ，Ｅ）−３−ヒドロキシ−４−フェニルペンタ−１−エン−１−イル）−２−オキソピロリジン−１−イル）プロピル）チオフェン−２−カルボキシレート；
５−（３−（（Ｒ）−３，３−ジフルオロ−５−（（３Ｒ，４Ｓ，Ｅ）−３−ヒドロキシ−４−フェニルペンタ−１−エン−１−イル）−２−オキソピロリジン−１−イル）プロピル）チオフェン−２−カルボン酸；
５−（３−（（Ｒ）−３，３−ジフルオロ−５−（（３Ｓ，４Ｓ，Ｅ）−３−ヒドロキシ−４−フェニルペンタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−５−フェニルペンタ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−５−フェニルペンタ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−５−フェニルペンタ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−５−フェニルペンタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−６−フェニルヘキサ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−６−フェニルヘキサ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−６−フェニルヘキサ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−６−フェニルヘキサ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−８−フェニルオクタ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−８−フェニルオクタ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−８−フェニルオクタ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−８−フェニルオクタ−１−エン−１−イル）−２−オキソピロリジン−１−イル）プロピル）チオフェン−２−カルボン酸；
メチル５−（３−（（Ｒ）−３，３−ジフルオロ−５−（（３Ｓ，４Ｓ，Ｅ）−３−ヒドロキシ−４−メチル−９−フェニルノナ−１−エン−１−イル）−２−オキソピロリジン−１−イル）プロピル）チオフェン−２−カルボキシレート；
メチル５−（３−（（Ｒ）−３，３−ジフルオロ−５−（（３Ｒ，４Ｓ，Ｅ）−３−ヒドロキシ−４−メチル−９−フェニルノナ−１−エン−１−イル）−２−オキソピロリジン−１−イル）プロピル）チオフェン−２−カルボキシレート；
５−（３−（（Ｒ）−３，３−ジフルオロ−５−（（３Ｓ，４Ｓ，Ｅ）−３−ヒドロキシ−４−メチル−９−フェニルノナ−１−エン−１−イル）−２−オキソピロリジン−１−イル）プロピル）チオフェン−２−カルボン酸；
５−（３−（（Ｒ）−３，３−ジフルオロ−５−（（３Ｒ，４Ｓ，Ｅ）−３−ヒドロキシ−４−メチル−９−フェニルノナ−１−エン−１−イル）−２−オキソピロリジン−１−イル）プロピル）チオフェン−２−カルボン酸；
メチル７−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）ヘプタン酸；
７−（（Ｒ）−２−（（３Ｓ，４Ｓ，Ｅ）−３−ヒドロキシ−４−メチルオクタ−１−エン−６−イン−１−イル）−５−オキソピロリジン−１−イル）ヘプタン酸；
７−（（Ｒ）−２−（（３Ｓ，４Ｒ，Ｅ）−３−ヒドロキシ−４−メチルオクタ−１−エン−６−イン−１−イル）−５−オキソピロリジン−１−イル）ヘプタン酸；
メチル７−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）ヘプタン酸；
７−（（Ｒ）−２−（（３Ｓ，４Ｓ，Ｅ）−３−ヒドロキシ−４−メチルノナ−１−エン−６−イン−１−イル）−５−オキソピロリジン−１−イル）ヘプタン酸；
７−（（Ｒ）−２−（（３Ｓ，４Ｒ，Ｅ）−３−ヒドロキシ−４−メチルノナ−１−エン−６−イン−１−イル）−５−オキソピロリジン−１−イル）ヘプタン酸；
メチル７−（（２Ｒ）−２−（（３Ｓ，４Ｓ，Ｅ）−３−ヒドロキシ−４−メチルノナ−１−エン−６−イン−１−イル）−５−オキソピロリジン−１−イル）ヘプタノエート；
メチル７−（（２Ｒ）−２−（（３Ｒ，４Ｓ，Ｅ）−３−ヒドロキシ−４−メチルノナ−１−エン−６−イン−１−イル）−５−オキソピロリジン−１−イル）ヘプタノエート；
メチル７−（（２Ｒ）−２−（（３Ｓ，４Ｒ／Ｓ，Ｅ）−３−ヒドロキシ−４−メチルデカ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチルデカ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチルデカ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチルデカ−１−エン−６−イン−１−イル）−５−オキソピロリジン−１−イル）ヘプタン酸；
メチル７−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）ヘプタノエート；
メチル７−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）ヘプタノエート；
７−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）ヘプタン酸；
７−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）ヘプタン酸；
メチル７−（（２Ｒ）−２−（（３Ｓ，Ｅ）−３−ヒドロキシ−７−フェニルヘプタ−１−エン−６−イン−１−イル）−５−オキソピロリジン−１−イル）ヘプタノエート；
メチル７−（（２Ｒ）−２−（（３Ｒ，Ｅ）−３−ヒドロキシ−７−フェニルヘプタ−１−エン−６−イン−１−イル）−５−オキソピロリジン−１−イル）ヘプタノエート；
７−（（Ｒ）−２−（（３Ｓ，Ｅ）−３−ヒドロキシ−７−フェニルヘプタ−１−エン−６−イン−１−イル）−５−オキソピロリジン−１−イル）ヘプタン酸；
７−（（Ｒ）−２−（（３Ｒ，Ｅ）−３−ヒドロキシ−７−フェニルヘプタ−１−エン−６−イン−１−イル）−５−オキソピロリジン−１−イル）ヘプタン酸；
メチル７−（（Ｒ）−２−（（Ｒ，Ｅ）−３−ヒドロキシヘプタ−１−エン−４−イン−１−イル）−５−オキソピロリジン−１−イル）ヘプタノエート；
メチル７−（（Ｒ）−２−（（Ｓ，Ｅ）−３−ヒドロキシヘプタ−１−エン−４−イン−１−イル）−５−オキソピロリジン−１−イル）ヘプタノエート；
７−（（Ｒ）−２−（（Ｒ，Ｅ）−３−ヒドロキシヘプタ−１−エン−４−イン−１−イル）−５−オキソピロリジン−１−イル）ヘプタン酸；
７−（（Ｒ）−２−（（Ｓ，Ｅ）−３−ヒドロキシヘプタ−１−エン−４−イン−１−イル）−５−オキソピロリジン−１−イル）ヘプタン酸；
メチル７−（（Ｒ）−２−（（Ｒ，Ｅ）−３−ヒドロキシ−５−フェニルペンタ−１−エン−４−イン−１−イル）−５−オキソピロリジン−１−イル）ヘプタノエート；
メチル７−（（Ｒ）−２−（（Ｓ，Ｅ）−３−ヒドロキシ−５−フェニルペンタ−１−エン−４−イン−１−イル）−５−オキソピロリジン−１−イル）ヘプタノエート；
７−（（Ｒ）−２−（（Ｒ，Ｅ）−３−ヒドロキシ−５−フェニルペンタ−１−エン−４−イン−１−イル）−５−オキソピロリジン−１−イル）ヘプタン酸；
７−（（Ｒ）−２−（（Ｓ，Ｅ）−３−ヒドロキシ−５−フェニルペンタ−１−エン−４−イン−１−イル）−５−オキソピロリジン−１−イル）ヘプタン酸；
メチル４−（２−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）エチル）ベンゾエート；
メチル４−（２−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）エチル）ベンゾエート；
４−（２−（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）エチル）安息香酸；
４−（２−（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）エチル）安息香酸；
エチル４−（２−（（Ｒ）−２−（（３Ｓ，４Ｓ，Ｅ）−３−ヒドロキシ−４−メチルノナ−１−エン−６−イン−１−イル）−５−オキソピロリジン−１−イル）エチル）ベンゾエート；
エチル４−（２−（（Ｒ）−２−（（３Ｒ，４Ｓ，Ｅ）−３−ヒドロキシ−４−メチルノナ−１−エン−６−イン−１−イル）−５−オキソピロリジン−１−イル）エチル）ベンゾエート；
４−（２−（（Ｒ）−２−（（３Ｓ，４Ｓ，Ｅ）−３−ヒドロキシ−４−メチルノナ−１−エン−６−イン−１−イル）−５−オキソピロリジン−１−イル）エチル）安息香酸；
４−（２−（（Ｒ）−２−（（３Ｒ，４Ｓ，Ｅ）−３−ヒドロキシ−４−メチルノナ−１−エン−６−イン−１−イル）−５−オキソピロリジン−１−イル）エチル）安息香酸；
エチル４−（２−（（Ｒ）−２−（（３Ｓ，４Ｒ／Ｓ，Ｅ）−３−ヒドロキシ−４−メチルデカ−１−エン−６−イン−１−イル）−５−オキソピロリジン−１−イル）エチル）ベンゾエート；
エチル４−（２−（（Ｒ）−２−（（３Ｒ，４Ｒ／Ｓ，Ｅ）−３−ヒドロキシ−４−メチルデカ−１−エン−６−イン−１−イル）−５−オキソピロリジン−１−イル）エチル）ベンゾエート；
４−（２−（（２Ｒ）−２−（（３Ｓ，Ｅ）−３−ヒドロキシ−４−メチルデカ−１−エン−６−イン−１−イル）−５−オキソピロリジン−１−イル）エチル）安息香酸；
４−（２−（（２Ｒ）−２−（（３Ｒ，Ｅ）−３−ヒドロキシ−４−メチルデカ−１−エン−６−イン−１−イル）−５−オキソピロリジン−１−イル）エチル）安息香酸；
メチル４−（２−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）エチル）ベンゾエート；
メチル４−（２−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）エチル）ベンゾエート；
４−（２−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）エチル）安息香酸；
４−（２−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）エチル）安息香酸；
メチル２−（４−（（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）メチル）フェニル）アセテート；
メチル２−（４−（（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）メチル）フェニル）アセテート；
２−（４−（（（２Ｒ）−２−（（３Ｓ，４Ｒ／Ｓ，Ｅ）−３−ヒドロキシ−４−メチルオクタ−１−エン−６−イン−１−イル）−５−オキソピロリジン−１−イル）メチル）フェニル）酢酸；
２−（４−（（（２Ｒ）−２−（（３Ｒ，４Ｒ／Ｓ，Ｅ）−３−ヒドロキシ−４−メチルオクタ−１−エン−６−イン−１−イル）−５−オキソピロリジン−１−イル）メチル）フェニル）酢酸；
メチル５−（３−（（２Ｒ）−２−（（３Ｓ，Ｅ）−３−ヒドロキシ−４−メチルノナ−１−エン−６−イン−１−イル）−５−オキソピロリジン−１−イル）プロパ−１−イン−１−イル）チオフェン−２−カルボキシレート；
メチル５−（３−（（２Ｒ）−２−（（３Ｒ，Ｅ）−３−ヒドロキシ−４−メチルノナ−１−エン−６−イン−１−イル）−５−オキソピロリジン−１−イル）プロパ−１−イン−１−イル）チオフェン−２−カルボキシレート；
５−（３−（（２Ｒ）−２−（（３Ｓ，Ｅ）−３−ヒドロキシ−４−メチルノナ−１−エン−６−イン−１−イル）−５−オキソピロリジン−１−イル）プロパ−１−イン−１−イル）チオフェン−２−カルボン酸；
５−（３−（（２Ｒ）−２−（（３Ｒ，Ｅ）−３−ヒドロキシ−４−メチルノナ−１−エン−６−イン−１−イル）−５−オキソピロリジン−１−イル）プロパ−１−イン−１−イル）チオフェン−２−カルボン酸；
メチル５−（３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロパ−１−イン−１−イル）チオフェン−２−カルボキシレート；
メチル５−（３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロパ−１−イン−１−イル）チオフェン−２−カルボキシレート；
５−（（Ｚ）−３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
５−（（Ｚ）−３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
メチル５−（（Ｚ）−３−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボキシレート；
メチル５−（（Ｚ）−３−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボキシレート；
５−（（Ｚ）−３−（（２Ｒ）−２−（（３Ｓ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボン酸；
５−（（Ｚ）−３−（（２Ｒ）−２−（（３Ｒ，４Ｒ／Ｓ，Ｅ）−３−ヒドロキシ−４−メチルノナ−１−エン−６−イン−１−イル）−５−オキソピロリジン−１−イル）プロパ−１−エン−１−イル）チオフェン−２−カルボン酸；
メチル５−（（Ｚ）−３−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボキシレート；
メチル５−（（Ｚ）−３−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボキシレート；
５−（（Ｚ）−３−（（２Ｒ）−２−（（３Ｓ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
５−（（Ｚ）−３−（（２Ｒ）−２−（（３Ｒ，４Ｒ／Ｓ，Ｅ）−３−ヒドロキシ−４−メチル−７−フェニルヘプタ−１−エン−６−イン−１−イル）−５−オキソピロリジン−１−イル）プロパ−１−エン−１−イル）チオフェン−２−カルボン酸；
メチル５−（３−（（Ｒ）−２−（（３Ｓ，４Ｓ，Ｅ）−３−ヒドロキシ−４−メチルノナ−１−エン−６−イン−１−イル）−５−オキソピロリジン−１−イル）プロピル）チオフェン−２−カルボキシレート；
メチル５−（３−（（Ｒ）−２−（（３Ｓ，４Ｒ，Ｅ）−３−ヒドロキシ−４−メチルノナ−１−エン−６−イン−１−イル）−５−オキソピロリジン−１−イル）プロピル）チオフェン−２−カルボキシレート；
メチル５−（３−（（２Ｒ）−２−（（３Ｒ，Ｅ）−３−ヒドロキシ−４−メチルノナ−１−エン−６−イン−１−イル）−５−オキソピロリジン−１−イル）プロピル）チオフェン−２−カルボキシレート；
５−（３−（（Ｒ）−２−（（３Ｓ，４Ｓ，Ｅ）−３−ヒドロキシ−４−メチルノナ−１−エン−６−イン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチルノナ−１−エン−６−イン−１−イル）−５−オキソピロリジン−１−イル）プロピル）チオフェン−２−カルボン酸；
５−（３−（（Ｒ）−２−（（３Ｓ，Ｅ）−３−ヒドロキシ−４−メチルノナ−１−エン−６−イン−１−イル）−５−オキソピロリジン−１−イル）プロピル）チオフェン−２−カルボン酸；
５−（３−（（Ｒ）−２−（（３Ｒ，Ｅ）−３−ヒドロキシ−４−メチルノナ−１−エン−６−イン−１−イル）−５−オキソピロリジン−１−イル）プロピル）チオフェン−２−カルボン酸；
メチル５−（３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロピル）チオフェン−２−カルボキシレート；
メチル５−（３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロピル）チオフェン−２−カルボキシレート；
５−（３−（（２Ｒ）−２−（（３Ｓ，Ｅ）−３−ヒドロキシ−４−メチル−７−フェニルヘプタ−１−エン−６−イン−１−イル）−５−オキソピロリジン−１−イル）プロピル）チオフェン−２−カルボン酸；
５−（３−（（２Ｒ）−２−（（３Ｒ，Ｅ）−３−ヒドロキシ−４−メチル−７−フェニルヘプタ−１−エン−６−イン−１−イル）−５−オキソピロリジン−１−イル）プロピル）チオフェン−２−カルボン酸；
メチル７−（（Ｒ）−２−（（Ｓ，Ｅ）−３−ヒドロキシ−７−フェニルヘプタ−１−エン−１−イル）−５−オキソピロリジン−１−イル）ヘプタノエート；
メチル７−（（Ｒ）−２−（（Ｒ，Ｅ）−３−ヒドロキシ−７−フェニルヘプタ−１−エン−１−イル）−５−オキソピロリジン−１−イル）ヘプタノエート；
７−（（Ｒ）−２−（（Ｓ，Ｅ）−３−ヒドロキシ−７−フェニルヘプタ−１−エン−１−イル）−５−オキソピロリジン−１−イル）ヘプタン酸；
７−（（Ｒ）−２−（（Ｒ，Ｅ）−３−ヒドロキシ−７−フェニルヘプタ−１−エン−１−イル）−５−オキソピロリジン−１−イル）ヘプタン酸；
メチル７−（（２Ｒ）−２−（（３Ｓ，Ｅ）−３−ヒドロキシ−４−メチル−７−フェニルヘプタ−１−エン−１−イル）−５−オキソピロリジン−１−イル）ヘプタノエート；
メチル７−（（２Ｒ）−２−（（３Ｒ，Ｅ）−３−ヒドロキシ−４−メチル−７−フェニルヘプタ−１−エン−１−イル）−５−オキソピロリジン−１−イル）ヘプタノエート；
７−（（２Ｒ）−２−（（３Ｓ，Ｅ）−３−ヒドロキシ−４−メチル−７−フェニルヘプタ−１−エン−１−イル）−５−オキソピロリジン−１−イル）ヘプタン酸；
７−（（２Ｒ）−２−（（３Ｒ，Ｅ）−３−ヒドロキシ−４−メチル−７−フェニルヘプタ−１−エン−１−イル）−５−オキソピロリジン−１−イル）ヘプタン酸；
７−（（Ｒ）−２−（（３Ｓ，４Ｓ，Ｅ）−３−ヒドロキシ−４−メチル−７−フェニルヘプタ−１−エン−１−イル）−５−オキソピロリジン−１−イル）ヘプタン酸；
７−（（Ｒ）−２−（（３Ｓ，４Ｒ，Ｅ）−３−ヒドロキシ−４−メチル−７−フェニルヘプタ−１−エン−１−イル）−５−オキソピロリジン−１−イル）ヘプタン酸；
メチル５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボキシレート；
メチル５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボキシレート；
５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボン酸；
５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロパ−１−イン−１−イル）チオフェン−２−カルボン酸；
メチル５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロピル）チオフェン−２−カルボキシレート；
メチル５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロピル）チオフェン−２−カルボキシレート；
５−（３−（（２Ｒ）−２−（（３Ｓ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（２Ｒ）−２−（（３Ｒ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−７−フェニルヘプタ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｒ，４Ｓ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｒ，４Ｒ，Ｅ）−３−ヒドロキシ−４−メチル−６−フェニルヘキサ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｒ，４Ｓ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｒ，４Ｒ，Ｅ）−３−ヒドロキシ−４−メチル−８−フェニルオクタ−１−エン−１−イル）−５−オキソピロリジン−１−イル）プロピル）チオフェン−２−カルボン酸；
５−（３−（（Ｒ）−２−（（３Ｓ，４Ｓ，Ｅ）−３−ヒドロキシ−４−メチル−９−フェニルノナ−１−エン−１−イル）−５−オキソピロリジン−１−イル）プロピル）チオフェン−２−カルボン酸；
５−（３−（（Ｒ）−２−（（３Ｒ，４Ｓ，Ｅ）−３−ヒドロキシ−４−メチル−９−フェニルノナ−１−エン−１−イル）−５−オキソピロリジン−１−イル）プロピル）チオフェン−２−カルボン酸；
５−（３−（（Ｒ）−２−（（３Ｓ，４Ｒ，Ｅ）−３−ヒドロキシ−４−メチル−９−フェニルオクトノナ（ｐｈｅｎｙｌｏｃｔｎｏｎ）−１−エン−１−イル）−５−オキソピロリジン−１−イル）プロピル）チオフェン−２−カルボン酸；
５−（３−（（Ｒ）−２−（（３Ｒ，４Ｒ，Ｅ）−３−ヒドロキシ−４−メチル−９−フェニルノナ−１−エン−１−イル）−５−オキソピロリジン−１−イル）プロピル）チオフェン−２−カルボン酸
又はその薬学的に許容可能な塩からなる群から選択される、態様４２に記載の骨組成物。
態様４７
前記１つ以上の骨修復薬が骨芽細胞を活性化させる、態様４２に記載の骨組成物。
態様４８
前記１つ以上の骨修復薬が破骨細胞を阻害する、態様４２に記載の骨組成物。
態様４９
前記１つ以上の骨修復薬が、骨芽細胞を活性化させる少なくとも１つの薬物と、破骨細胞を阻害する少なくとも１つの薬物とを含む、態様４２に記載の骨組成物。
態様５０
前記１つ以上の骨修復薬が骨芽細胞を活性化させ、及び破骨細胞を阻害する、態様４２に記載の骨組成物。
態様５１
前記１つ以上の骨修復薬が、アレンドロン酸、アレンドロン酸ナトリウム、イバンドロネート、リセドロネート、ゾレドロネート、ゾレドロン酸、エチドロネート、パミドロネート、チルドロネート、ネリドロネート、及びオルパドロネート、オダナカチブ、ラロキシフェン、バゼドキシフェン、ラソフォキシフェン、アトルバスタチン、セリバスタチン、フルバスタチン、ロバスタチン、メバスタチン、ピタバスタチン（ｐｉｔａｂａｓｔａｔｉｎ）、プラバスタチン、ロスバスタチン、シンバスタチン、ラネル酸ストロンチウム、カルシトニン、副甲状腺ホルモン、骨形態形成タンパク質−２、骨形態形成タンパク質−４、又は骨形態形成タンパク質−７の１つ以上である、態様４２に記載の骨組成物。
態様５２
前記１つ以上の骨修復薬が、ＥＰ２アゴニスト、ＥＰ２／ＥＰ４デュアルアゴニスト、ＥＰ４アゴニスト、有機ビスホスホネート、エストロゲン受容体モジュレーター、アンドロゲン受容体モジュレーター、ＨＭＧ−ＣｏＡ還元酵素阻害薬、及びラネル酸ストロンチウムから選択される、態様４２に記載の骨組成物。
態様５３
鎮痛薬、抗炎症剤、抗菌剤、又は抗癌剤の１つ以上をさらに含む、態様３４〜５２のいずれか一項に記載の骨組成物。
態様５４
必要とする患者において骨を修復し又は骨密度を増加させる方法において、
前記患者の骨に骨修復薬を局所送達するステップを含み、前記骨修復薬が、
硬化非セラミックリン酸カルシウムセメント中に前記骨修復薬の治療有効量を含む固形インサートであって、前記骨修復薬が前記硬化非セラミックリン酸カルシウムセメント全体にわたり実質的に均一に包埋されている、固形インサート
を含む骨修復組成物から送達される、方法。
態様５５
前記骨が穿孔された骨であり、前記穿孔された骨に前記骨修復組成物を植え込むステップをさらに含む、態様５４に記載の方法。
態様５６
前記骨修復組成物から鎮痛薬、抗炎症剤、抗菌剤、又は抗癌剤の１つ以上を局所送達するステップをさらに含む、態様５４に記載の方法。